(57)【要約】【課題】  音質劣化した受動的メロディの使用を極力回避することができるうえ、音声回線の負荷増大を解消することができる電話端末装置及びその電話端末装置を備えた電話システム並びにプログラムを提供する。【解決手段】  電気通信回線を通じて楽曲情報記憶機器から任意の音声形式の楽曲情報が通信部２により取得され、通信部２で取得した任意の楽曲情報がＲＡＭ１８に追加記憶され、音声回線利用時にその相手側若しくは他の外部機器から楽曲情報を受信した場合にその受信楽曲情報と一致する楽曲情報がＲＡＭに含まれているかが制御回路５により検索され、受信楽曲情報と一致する楽曲情報がＲＡＭ１８に記憶されていた場合にはその記憶楽曲情報に含まれる音源情報が音源ＩＣ２３により優先して再生され、受信楽曲情報と一致する楽曲情報がＲＡＭ１８に記憶されていない場合には受信楽曲情報に含まれる音源情報が音源ＩＣ２３により再生される。【選択図】        図１
2005303529.tif 000002
【特許請求の範囲】
【請求項１】
電気通信回線を通じて楽曲情報記憶機器から任意の音声形式の楽曲情報を取得する取得手段と、
該取得手段で取得した任意の楽曲情報を追加記憶する記憶手段と、
音声回線利用時にその相手側若しくは他の外部機器から楽曲情報を受信した場合にその受信楽曲情報と一致する楽曲情報が前記記憶手段に含まれているかを検索する検索手段と、
受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生する再生手段と、
該再生手段で再生された音源情報を出力する出力手段と、
を備えていることを特徴とする電話端末装置。
【請求項２】
音声回線利用時にその相手側若しくは他の外部機器から楽曲情報に関する実データを受信した場合にその実データに基づいて音源情報を生成する採譜処理手段と、
該採譜処理手段で生成された音源情報を再生する再生手段と、
該再生手段で再生された音源情報を出力する出力手段と、
を備えていることを特徴とする電話端末装置。
【請求項３】
電気通信回線を通じて楽曲情報記憶機器から任意の音声形式の楽曲情報を取得する取得手段と、
該取得手段で取得した任意の楽曲情報を追加記憶する記憶手段と、
音声回線利用時にその相手側若しくは他の外部機器から楽曲情報を受信した場合にその受信楽曲情報と一致する楽曲情報が前記記憶手段に含まれているかを検索する検索手段と、
音声回線利用時にその相手側若しくは他の外部機器から楽曲情報に関する実データを受信した場合にその実データに基づいて音源情報を生成する採譜処理手段と、
受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生し、前記採譜処理手段で音源情報を生成した場合にはその音源情報を再生する再生手段と、
該再生手段で再生された音源情報を出力する出力手段と、
を備えていることを特徴とする電話端末装置。
【請求項４】
発信時若しくは通話時に、その相手側に対して予め記憶された楽曲情報若しくは他の外部機器に記憶された楽曲情報に関する実データを送信する送信手段を備えていることを特徴とする電話端末装置。
【請求項５】
一つ以上の楽曲情報を音声形式で記憶した楽曲情報記憶機器と、
電気通信回線を通じて前記楽曲情報記憶機器から任意の音声形式の楽曲情報を取得すると共にその取得した任意の楽曲情報を記憶手段に追加記憶した第１の電話端末装置と、
前記第１の電話端末装置に対して発信可能であると共にその発信時若しくは通話時に前記第１の電話端末装置に対して楽曲情報を直接若しくは前記楽曲情報記憶機器を介して送信する第２の電話端末装置とを備え、
前記第１の電話端末装置は、
前記第２の電話端末装置から直接若しくは前記楽曲情報記憶機器を介して楽曲情報を受信した場合にその受信楽曲情報と一致する楽曲情報が前記記憶手段に含まれているかを検索する検索手段と、
受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生する再生手段と、
該再生手段で再生された音源情報を出力する出力手段と、
を備えていることを特徴とする電話システム。
【請求項６】
一つ以上の楽曲情報を音声形式で記憶した楽曲情報記憶機器と、
電気通信回線を通じて通話可能な第１の電話端末装置と、
前記第１の電話端末装置に対して発信可能であると共にその発信時若しくは通話時に前記第１の電話端末装置に対して楽曲情報に関する実データを直接若しくは前記楽曲情報記憶機器を介して送信する第２の電話端末装置とを備え、
前記第１の電話端末装置は、
前記第２の電話端末装置から直接若しくは前記楽曲情報記憶機器を介して楽曲情報に関する実データを受信した場合にその実データに基づいて音源情報を生成する採譜処理手段と、
該採譜処理手段で生成された音源情報を再生する再生手段と、
該再生手段で再生された音源情報を出力する出力手段と、
を備えていることを特徴とする電話システム。
【請求項７】
一つ以上の楽曲情報を音声形式で記憶した楽曲情報記憶機器と、
電気通信回線を通じて前記楽曲情報記憶機器から任意の音声形式の楽曲情報を取得すると共にその取得した任意の楽曲情報を記憶手段に追加記憶した第１の電話端末装置と、
前記第１の電話端末装置に対して発信可能であると共にその発信時若しくは通話時に前記第１の電話端末装置に対して楽曲情報若しくはこの楽曲情報に関する実データを直接若しくは前記楽曲情報記憶機器を介して送信する第２の電話端末装置とを備え、
前記第１の電話端末装置は、
前記第２の電話端末装置から直接若しくは前記楽曲情報記憶機器を介して楽曲情報を受信した場合にその受信楽曲情報と一致する楽曲情報が前記記憶手段に含まれているかを検索する検索手段と、
音声回線利用時にその相手側若しくは他の外部機器から楽曲情報に関する実データを受信した場合にその実データに基づいて音源情報を生成する採譜処理手段と、
受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生し、前記採譜処理手段で音源情報を生成した場合にはその音源情報を再生する再生手段と、
該再生手段で再生された音源情報を出力する出力手段と、
を備えていることを特徴とする電話システム。
【請求項８】
電気通信回線を通じて楽曲情報記憶機器から任意の音声形式の楽曲情報を取得手段で取得する取得ステップと、
該取得手段で取得した任意の楽曲情報を記憶手段に追加記憶する記憶ステップと、
音声回線利用時にその相手側若しくは他の外部機器から楽曲情報を受信した場合にその受信楽曲情報と一致する楽曲情報が前記記憶手段に含まれているかを検索手段で検索する検索ステップと、
受信楽曲情報と一致する楽曲情報が前記記憶手段に記憶されていた場合にはその記憶楽曲情報に含まれる音源情報を優先して再生手段が再生し、受信楽曲情報と一致する楽曲情報が前記記憶手段に記憶されていない場合には受信楽曲情報に含まれる音源情報を再生手段が再生する再生ステップと、
該再生手段で再生された音源情報を出力手段から出力する出力ステップと、
を実行することを特徴とする電話端末装置制御用プログラム。
【請求項９】
音声回線利用時にその相手側若しくは他の外部機器から楽曲情報に関する実データを受信した場合にその実データに基づいて音源情報を採譜処理手段で生成する採譜処理ステップと、
該採譜処理手段で生成された音源情報を再生手段で再生する再生ステップと、
該再生手段で再生された音源情報を出力手段から出力する出力ステップと、
を実行することを特徴とする電話端末装置制御用プログラム。
【請求項１０】
電気通信回線を通じて楽曲情報記憶機器から任意の音声形式の楽曲情報を取得手段で取得する取得ステップと、
該取得手段で取得した任意の楽曲情報を記憶手段に追加記憶する記憶ステップと、
音声回線利用時にその相手側若しくは他の外部機器から楽曲情報を受信した場合にその受信楽曲情報と一致する楽曲情報が前記記憶手段に含まれているかを検索手段で検索する検索ステップと、
音声回線利用時にその相手側若しくは他の外部機器から楽曲情報に関する実データを受信した場合にその実データに基づいて音源情報を採譜処理手段で生成する採譜処理ステップと、
受信楽曲情報と一致する楽曲情報が前記記憶手段に記憶されていた場合にはその記憶楽曲情報に含まれる音源情報を優先して再生手段で再生し、受信楽曲情報と一致する楽曲情報が前記記憶手段に記憶されていない場合には受信楽曲情報に含まれる音源情報を再生手段で再生し、前記採譜処理手段で音源情報を生成した場合にはその音源情報を再生手段で再生する再生ステップと、
該再生手段で再生された音源情報を出力手段から出力する出力ステップと、
を実行することを特徴とする電話端末装置制御用プログラム。
【発明の詳細な説明】
【技術分野】
【０００１】
本発明は、楽曲情報に基づいてメロディを発音する電話端末装置、電話システム及び電話端末装置制御用プログラムに関する。
【背景技術】
【０００２】
近年、モバイル装置といった携帯情報端末、携帯電話装置、ＩＰ電話装置といった各種通信端末装置の普及が非常に目覚しい。特に、携帯電話装置では通話料金や本体価格の低下に伴い、一人に一台の時代となりつつあり、若者の間では既に必須アイテムともなっている。
【０００３】
また、携帯電話装置では、基本機能である通話機能に加え、テキストデータや各種ファイルデータを送受信する電子メール機能を含めたインターネット接続機能を具備するものを各通信事業者が短期間に競って商品化しており、次々に性能アップと機能アップが図られている。
【０００４】
ところで、特に若者の間で新規購入若しくは買い替えの要因の一つになっている機能に、着信メロディ機能がある（例えば、特許文献１参照）。
【０００５】
この着信メロディ機能は、予め登録した通話相手毎（又はグループ毎）に異なる着信メロディを指定することにより、誰（又はどのグループ）からの呼び出しであるのかを着信メロディで認識することができる。
【０００６】
また、ここで使用されている着信メロディは、携帯電話装置を購入した際に、その内部メモリに楽曲情報として予め記憶されている着信メロディを指定する。
【０００７】
さらに、所有者は、日々追加公開（販売を含む）される新しい着信メロディを取得することができる。この際、新たな着信メロディは、インターネット等の電気通信回線を通じてサーバ等から音声形式の楽曲情報をダウンロードしたり、無線（赤外等）等の電気通信回線を通じて他の携帯電話装置から音声形式の楽曲情報を直接受信したりする。また、これらの方法により新たに取得した着信メロディに関する楽曲情報は、自身の着信メロディと同じ内部メモリに追加記憶する。
【０００８】
ところで、このような着信メロディは所有者自身の携帯電話装置に記憶されているものを所有者が選択的に利用するもので、着呼者側の電話端末装置の固有の能動的機能である。
【０００９】
これに対し、発呼者側の電話端末装置側においても、呼び出し音（リングバックトーン）や話中音（ビジー音）等のメロディ、或いは、留守番電話用のガイドメッセージ等の音声においても、予め設定されている既存の単調な機械音のようなものではなく、着呼者側で設定されたメロディやメッセージを発呼者側に聞かせるようにしたものもある。さらに、通話中における保留音といったように、発呼者並びに着呼者に限定されずに一方の操作によって他方の電話端末装置にメロディを聞かせるものも知られている。また、上述した着呼者側で設定する能動的な着信メロディとは反対に、発呼者側の選択により着呼者側の着信メロディやメール到着音を受動的に鳴動させることも可能である。
【００１０】
これらは、発着呼時や通話中の何れに拘わらず、音声回線を利用している状況においてそのメロディやメッセージを聞く相手側から送信された楽曲情報に基づいて鳴動するもので、換言すれば、受動的メロディの鳴動といえる。
【００１１】
この受動的メロディは、着呼者側の電話機（又はサーバ）から状態遷移などのメロディ受信契機（トリガー）と、それに続いて音声形式の受動的メロディが送信される。
【００１２】
従って、上述した着呼者側電話端末装置固有の着信メロディと異なり、受動的メロディを聞く相手側、即ち着呼側電話機（又はサーバ）が音源を持ち、音声回線を利用して送信されるメロディを再生するものである。尚、保留音の場合には、その保留操作を行った方が上述した着呼者に対応し、被保留者が上述した発呼者に対応する。
【特許文献１】特開２００２−３０５７６９号公報
【発明の開示】
【発明が解決しようとする課題】
【００１３】
ところで、上述した着信メロディの場合、そのメロディ音は自身の内部メモリに記憶された楽曲情報を再生してそのまま自身の携帯電話装置のスピーカからメロディ出力される。
【００１４】
従って、新たに追加した着信メロディであっても、比較的音質の良い着信メロディを再生することができる。
【００１５】
これに対し、受動的メロディの場合、自身の内部メモリに記憶された楽曲情報のデータを音声回線を利用して相手側に送信して受動的メロディを再生するものである。
【００１６】
従って、音質劣化が発生するうえ、比較的サイズの大きな音声形式のデータを音声回線で送受信するために、音声回線の負荷（トラフィック）も増大するという問題が発生していた。
【００１７】
即ち、音声回線の伝送効率を向上させるために、送信側で音声符号化（圧縮）し、受信側で複合化して再生するため、音声圧縮に伴う音質低下が発生する。
【００１８】
例えば、受動的メロディ機能の一つとして知られる、ＮＴＴドコモ社のメロディコールのＧ．７２６（ＡＤＰＣＭ）では、３２ｋｂｐｓで圧縮される。また、ＩＰ電話機で一般的に用いられる音声符号化方式であるＧ．７１１（ＰＣＭ）では６４ｋｂｐｓ、Ｇ．７２９（ＣＳ−ＡＣＥＬＰ）では８ｋｂｐｓに圧縮される。
【００１９】
さらに、音声形式のデータ伝送においては、リアルタイム性が最重要となるため、一般的に再送機能を持たない、処理負荷の軽いプロトコルが用いられる。この場合、再送機能を持たないため、音声回線上でのデータ損失や遅延（ゆらぎ）による影響を受けて音質劣化し易くなる。
【００２０】
そこで、本発明は、上記事情を考慮し、音質劣化した受動的メロディの使用を極力回避することができるうえ、音声回線の負荷増大を解消することができる電話端末装置及びその電話端末装置を備えた電話システム並びにプログラムを提供することを目的とする。
【課題を解決するための手段】
【００２１】
請求項１に記載の電話端末装置は、電気通信回線を通じて楽曲情報記憶機器から任意の音声形式の楽曲情報を取得する取得手段と、該取得手段で取得した任意の楽曲情報を追加記憶する記憶手段と、音声回線利用時にその相手側若しくは他の外部機器から楽曲情報を受信した場合にその受信楽曲情報と一致する楽曲情報が前記記憶手段に含まれているかを検索する検索手段と、受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生する再生手段と、該再生手段で再生された音源情報を出力する出力手段と、を備えていることを特徴とする。
【００２２】
請求項１に記載の電話端末装置によれば、電気通信回線を通じて楽曲情報記憶機器から任意の音声形式の楽曲情報が取得手段により取得され、取得手段で取得した任意の楽曲情報が記憶手段に追加記憶され、音声回線利用時にその相手側若しくは他の外部機器から楽曲情報を受信した場合にその受信楽曲情報と一致する楽曲情報が前記記憶手段に含まれているかが検索手段により検索され、受信楽曲情報と一致する楽曲情報が記憶手段に記憶されていた場合にはその記憶楽曲情報に含まれる音源情報が再生手段により優先して再生され、受信楽曲情報と一致する楽曲情報が記憶手段に記憶されていない場合には受信楽曲情報に含まれる音源情報が再生手段により再生され、再生手段で再生された音源情報が出力手段から出力される。
【００２３】
請求項２に記載の電話端末装置は、音声回線利用時にその相手側若しくは他の外部機器から楽曲情報に関する実データを受信した場合にその実データに基づいて音源情報を生成する採譜処理手段と、該採譜処理手段で生成された音源情報を再生する再生手段と、該再生手段で再生された音源情報を出力する出力手段と、を備えていることを特徴とする。
【００２４】
請求項２に記載の電話端末装置によれば、音声回線利用時にその相手側若しくは他の外部機器から楽曲情報に関する実データを受信した場合にその実データに基づいて音源情報が採譜処理手段により生成され、採譜処理手段で生成された音源情報が再生手段により再生され、再生手段で再生された音源情報が出力手段から出力される。
【００２５】
請求項３に記載の電話端末装置は、電気通信回線を通じて楽曲情報記憶機器から任意の音声形式の楽曲情報を取得する取得手段と、該取得手段で取得した任意の楽曲情報を追加記憶する記憶手段と、音声回線利用時にその相手側若しくは他の外部機器から楽曲情報を受信した場合にその受信楽曲情報と一致する楽曲情報が前記記憶手段に含まれているかを検索する検索手段と、音声回線利用時にその相手側若しくは他の外部機器から楽曲情報に関する実データを受信した場合にその実データに基づいて音源情報を生成する採譜処理手段と、受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生し、前記採譜処理手段で音源情報を生成した場合にはその音源情報を再生する再生手段と、該再生手段で再生された音源情報を出力する出力手段と、を備えていることを特徴とする。
【００２６】
請求項３に記載の電話端末装置によれば、電気通信回線を通じて楽曲情報記憶機器から任意の音声形式の楽曲情報が取得手段により取得され、取得手段で取得した任意の楽曲情報が記憶手段に追加記憶され、音声回線利用時にその相手側若しくは他の外部機器から楽曲情報を受信した場合にその受信楽曲情報と一致する楽曲情報が記憶手段に含まれているかが検索手段により検索され、音声回線利用時にその相手側若しくは他の外部機器から楽曲情報に関する実データを受信した場合にその実データに基づいて音源情報が採譜処理手段により生成され、受信楽曲情報と一致する楽曲情報が記憶手段に記憶されていた場合にはその記憶楽曲情報に含まれる音源情報が再生手段により優先して再生され、受信楽曲情報と一致する楽曲情報が記憶手段に記憶されていない場合には受信楽曲情報に含まれる音源情報が再生手段により再生され、採譜処理手段で音源情報を生成した場合にはその音源情報が再生手段により再生され、再生手段で再生された音源情報が出力手段から出力される。
【００２７】
請求項４に記載の電話端末装置は、発信時若しくは通話時に、その相手側に対して予め記憶された楽曲情報若しくは他の外部機器に記憶された楽曲情報に関する実データを送信する送信手段を備えていることを特徴とする。
【００２８】
請求項４に記載の電話端末装置によれば、発信時若しくは通話時に、その相手側に対して予め記憶された楽曲情報若しくは他の外部機器に記憶された楽曲情報に関する実データが送信手段から送信される。
【００２９】
請求項５に記載の電話システムは、一つ以上の楽曲情報を音声形式で記憶した楽曲情報記憶機器と、電気通信回線を通じて前記楽曲情報記憶機器から任意の音声形式の楽曲情報を取得すると共にその取得した任意の楽曲情報を記憶手段に追加記憶した第１の電話端末装置と、前記第１の電話端末装置に対して発信可能であると共にその発信時若しくは通話時に前記第１の電話端末装置に対して楽曲情報を直接若しくは前記楽曲情報記憶機器を介して送信する第２の電話端末装置とを備え、前記第１の電話端末装置は、前記第２の電話端末装置から直接若しくは前記楽曲情報記憶機器を介して楽曲情報を受信した場合にその受信楽曲情報と一致する楽曲情報が前記記憶手段に含まれているかを検索する検索手段と、受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生する再生手段と、該再生手段で再生された音源情報を出力する出力手段と、を備えていることを特徴とする。
【００３０】
請求項５に記載の電話システムによれば、楽曲情報記憶機器が一つ以上の楽曲情報を音声形式で記憶し、第１の電話端末装置が電気通信回線を通じて楽曲情報記憶機器から任意の音声形式の楽曲情報を取得すると共にその取得した任意の楽曲情報を記憶手段に追加記憶し、第１の電話端末装置に対して発信可能な第２の電話端末装置がその発信時若しくは通話時に第１の電話端末装置に対して楽曲情報を直接若しくは楽曲情報記憶機器を介して送信すると共に、第１の電話端末装置は、第２の電話端末装置から直接若しくは楽曲情報記憶機器を介して楽曲情報を受信した場合にその受信楽曲情報と一致する楽曲情報が記憶手段に含まれているかを検索手段で検索し、受信楽曲情報と一致する楽曲情報を記憶手段で記憶していた場合にはその記憶楽曲情報に含まれる音源情報を再生手段が優先して再生し、受信楽曲情報と一致する楽曲情報を記憶手段に記憶していない場合には受信楽曲情報に含まれる音源情報を再生手段で再生し、再生手段で再生した音源情報を出力手段から出力する。
【００３１】
請求項６に記載の電話システムは、一つ以上の楽曲情報を音声形式で記憶した楽曲情報記憶機器と、電気通信回線を通じて通話可能な第１の電話端末装置と、前記第１の電話端末装置に対して発信可能であると共にその発信時若しくは通話時に前記第１の電話端末装置に対して楽曲情報に関する実データを直接若しくは前記楽曲情報記憶機器を介して送信する第２の電話端末装置とを備え、前記第１の電話端末装置は、前記第２の電話端末装置から直接若しくは前記楽曲情報記憶機器を介して楽曲情報に関する実データを受信した場合にその実データに基づいて音源情報を生成する採譜処理手段と、該採譜処理手段で生成された音源情報を再生する再生手段と、該再生手段で再生された音源情報を出力する出力手段と、を備えていることを特徴とする。
【００３２】
請求項６に記載の電話システムによれば、楽曲情報記憶機器が一つ以上の楽曲情報を音声形式で記憶し、電気通信回線を通じて通話可能な第１の電話端末装置に対して発信可能な第２の電話端末装置がその発信時若しくは通話時に第１の電話端末装置に対して楽曲情報に関する実データを直接若しくは楽曲情報記憶機器を介して送信すると共に、第１の電話端末装置は、音声回線利用時にその相手側若しくは他の外部機器から楽曲情報に関する実データを受信した場合にその実データに基づいて音源情報を採譜処理手段で生成し、採譜処理手段で生成した音源情報を再生手段で再生し、再生手段で再生した音源情報を出力手段から出力する。
【００３３】
請求項７に記載の電話システムは、一つ以上の楽曲情報を音声形式で記憶した楽曲情報記憶機器と、電気通信回線を通じて前記楽曲情報記憶機器から任意の音声形式の楽曲情報を取得すると共にその取得した任意の楽曲情報を記憶手段に追加記憶した第１の電話端末装置と、前記第１の電話端末装置に対して発信可能であると共にその発信時若しくは通話時に前記第１の電話端末装置に対して楽曲情報若しくはこの楽曲情報に関する実データを直接若しくは前記楽曲情報記憶機器を介して送信する第２の電話端末装置とを備え、前記第１の電話端末装置は、前記第２の電話端末装置から直接若しくは前記楽曲情報記憶機器を介して楽曲情報を受信した場合にその受信楽曲情報と一致する楽曲情報が前記記憶手段に含まれているかを検索する検索手段と、音声回線利用時にその相手側若しくは他の外部機器から楽曲情報に関する実データを受信した場合にその実データに基づいて音源情報を生成する採譜処理手段と、受信楽曲情報と一致する楽曲情報が前記記憶手段に記憶されていた場合にはその記憶楽曲情報に含まれる音源情報を優先して再生し、受信楽曲情報と一致する楽曲情報が前記記憶手段に記憶されていない場合には受信楽曲情報に含まれる音源情報を再生し、前記採譜処理手段で音源情報を生成した場合にはその音源情報を再生する再生手段と、該再生手段で再生された音源情報を出力する出力手段と、を備えていることを特徴とする。
【００３４】
請求項７に記載の電話システムによれば、楽曲情報記憶機器が一つ以上の楽曲情報を音声形式で記憶し、第１の電話端末装置が電気通信回線を通じて楽曲情報記憶機器から任意の音声形式の楽曲情報を取得すると共にその取得した任意の楽曲情報を記憶手段に追加記憶し、第１の電話端末装置に対して発信可能な第２の電話端末装置がその発信時若しくは通話時に第１の電話端末装置に対して楽曲情報若しくはこの楽曲情報に関する実データを直接若しくは楽曲情報記憶機器を介して送信すると共に、第１の電話端末装置は、第２の電話端末装置から直接若しくは楽曲情報記憶機器を介して楽曲情報を受信した場合にその受信楽曲情報と一致する楽曲情報が記憶手段に含まれているかを検索手段で検索し、音声回線利用時にその相手側若しくは他の外部機器から楽曲情報に関する実データを受信した場合にその実データに基づいて音源情報を採譜処理手段で生成し、受信楽曲情報と一致する楽曲情報が記憶手段に記憶されていた場合にはその記憶楽曲情報に含まれる音源情報を再生手段で優先して再生し、受信楽曲情報と一致する楽曲情報が前記記憶手段に記憶されていない場合には受信楽曲情報に含まれる音源情報を再生手段で再生し、前譜処理手段で音源情報を生成した場合にはその音源情報を再生手段で再生し、再生手段で再生した音源情報を出力手段から出力する。
【００３５】
請求項８に記載の電話端末制御用プログラムは、電気通信回線を通じて楽曲情報記憶機器から任意の音声形式の楽曲情報を取得手段で取得する取得ステップと、該取得手段で取得した任意の楽曲情報を記憶手段に追加記憶する記憶ステップと、音声回線利用時にその相手側若しくは他の外部機器から楽曲情報を受信した場合にその受信楽曲情報と一致する楽曲情報が前記記憶手段に含まれているかを検索手段で検索する検索ステップと、受信楽曲情報と一致する楽曲情報が前記記憶手段に記憶されていた場合にはその記憶楽曲情報に含まれる音源情報を優先して再生手段が再生し、受信楽曲情報と一致する楽曲情報が前記記憶手段に記憶されていない場合には受信楽曲情報に含まれる音源情報を再生手段が再生する再生ステップと、該再生手段で再生された音源情報を出力手段から出力する出力ステップと、を実行することを特徴とする。
【００３６】
請求項８に記載の電話端末制御用プログラムによれば、取得ステップで電気通信回線を通じて楽曲情報記憶機器から任意の音声形式の楽曲情報を取得手段が取得し、記憶ステップで取得手段が取得した任意の楽曲情報を記憶手段に追加記憶し、検索ステップで音声回線利用時にその相手側若しくは他の外部機器から楽曲情報を受信した場合にその受信楽曲情報と一致する楽曲情報が記憶手段に含まれているかを検索手段が検索し、再生ステップで受信楽曲情報と一致する楽曲情報が記憶手段に記憶されていた場合にはその記憶楽曲情報に含まれる音源情報を優先して再生すると共に受信楽曲情報と一致する楽曲情報が記憶手段に記憶されていない場合には受信楽曲情報に含まれる音源情報を再生し、出力ステップで再生手段が再生された音源情報を出力手段から出力する。
【００３７】
請求項９に記載の電話端末装置制御用プログラムは、音声回線利用時にその相手側若しくは他の外部機器から楽曲情報に関する実データを受信した場合にその実データに基づいて音源情報を採譜処理手段で生成する採譜処理ステップと、該採譜処理手段で生成された音源情報を再生手段で再生する再生ステップと、該再生手段で再生された音源情報を出力手段から出力する出力ステップと、を実行することを特徴とする。
【００３８】
請求項９に記載の電話端末装置制御用プログラムによれば、採譜処理ステップで音声回線利用時にその相手側若しくは他の外部機器から楽曲情報に関する実データを受信した場合にその実データに基づいて音源情報を採譜処理手段が生成し、再生ステップで採譜処理手段により生成した音源情報を再生手段が再生し、出力ステップで再生手段により再生した音源情報を出力手段が出力する。
【００３９】
請求項１０に記載の電話端末装置制御用プログラムは、電気通信回線を通じて楽曲情報記憶機器から任意の音声形式の楽曲情報を取得手段で取得する取得ステップと、該取得手段で取得した任意の楽曲情報を記憶手段に追加記憶する記憶ステップと、音声回線利用時にその相手側若しくは他の外部機器から楽曲情報を受信した場合にその受信楽曲情報と一致する楽曲情報が前記記憶手段に含まれているかを検索手段で検索する検索ステップと、音声回線利用時にその相手側若しくは他の外部機器から楽曲情報に関する実データを受信した場合にその実データに基づいて音源情報を採譜処理手段で生成する採譜処理ステップと、受信楽曲情報と一致する楽曲情報が前記記憶手段に記憶されていた場合にはその記憶楽曲情報に含まれる音源情報を優先して再生手段で再生し、受信楽曲情報と一致する楽曲情報が前記記憶手段に記憶されていない場合には受信楽曲情報に含まれる音源情報を再生手段で再生し、前記採譜処理手段で音源情報を生成した場合にはその音源情報を再生手段で再生する再生ステップと、該再生手段で再生された音源情報を出力手段から出力する出力ステップと、を実行することを特徴とする。
【００４０】
請求項１０に記載の電話端末装置制御用プログラムによれば、取得ステップで電気通信回線を通じて楽曲情報記憶機器から任意の音声形式の楽曲情報を取得手段が取得し、記憶ステップで取得手段により取得した任意の楽曲情報を記憶手段が追加記憶し、検索ステップで音声回線利用時にその相手側若しくは他の外部機器から楽曲情報を受信した場合にその受信楽曲情報と一致する楽曲情報が記憶手段に含まれているかを検索手段が検索し、採譜処理ステップで音声回線利用時にその相手側若しくは他の外部機器から楽曲情報に関する実データを受信した場合にその実データに基づいて音源情報を採譜処理手段で生成し、再生ステップで受信楽曲情報と一致する楽曲情報が記憶手段に記憶されていた場合にはその記憶楽曲情報に含まれる音源情報を優先して再生手段で再生し、受信楽曲情報と一致する楽曲情報が記憶手段に記憶されていない場合には受信楽曲情報に含まれる音源情報を再生手段で再生し、採譜処理手段で音源情報を生成した場合にはその音源情報を再生手段で再生し、出力ステップで再生手段が再生した音源情報を出力手段から出力する。
【発明の効果】
【００４１】
請求項１に記載の電話端末装置によれば、音声回線利用時にその相手側若しくは他の外部機器から楽曲情報を受信した場合に、その受信楽曲情報が記憶手段に予め若しくは追加記憶した楽曲情報に含まれていれば、その記憶楽曲情報に含まれる音源情報が優先して再生・出力される。これにより、音声回線等を通じて受信することで音質劣化した受動的メロディを出力する必要がなくなる。また、記憶手段に記憶した楽曲情報を利用している間は受動的メロディを出力する回線として音声回線を使用していないので音声回線の負荷増大を解消することができる。
【００４２】
請求項２に記載の電話端末装置によれば、音声回線利用時にその相手側若しくは他の外部機器から楽曲情報に関する実データを受信した場合には、その受信した楽曲情報をそのまま再生・出力するのではなく、実データのみを利用して音源情報を採譜処理手段で生成し、その生成した音源情報が再生・出力される。これにより、音声回線等を通じて受信することで音質劣化した受動的メロディを出力する必要がなくなる。また、採譜処理手段で採譜処理した受動的メロディを再生・出力している間は受動的メロディを出力するための回線として音声回線を使用していないので音声回線の負荷増大を解消することができる。
【００４３】
請求項３に記載の電話端末装置によれば、音声回線利用時にその相手側若しくは他の外部機器から楽曲情報を受信した場合に、その受信楽曲情報が記憶手段に予め若しくは追加記憶した楽曲情報に含まれていれば、その記憶楽曲情報に含まれる音源情報が優先して再生・出力される。また、音声回線利用時にその相手側若しくは他の外部機器から楽曲情報に関する実データを受信した場合には、その受信した楽曲情報をそのまま再生・出力するのではなく、実データのみを利用して音源情報を採譜処理手段で生成し、その生成した音源情報が再生・出力される。これにより、音声回線等を通じて受信することで音質劣化した受動的メロディを出力する必要がなくなる。また、音声回線の負荷増大を解消することができる。
【００４４】
請求項４に記載の電話端末装置によれば、発信時若しくは通話時に、その相手側に対して予め記憶された楽曲情報若しくは他の外部機器に記憶された楽曲情報に関する実データを送信手段から送信することにより、発信側でその実データを有効利用することができる。
【００４５】
請求項５に記載の電話システムによれば、楽曲情報記憶機器から提供された音声形式の楽曲情報を第１の電話端末装置で取得・追加記憶し、第２の電話端末装置からの発信時若しくは第２の電話端末装置との通話時にその第２の電話端末装置から楽曲情報を直接若しくは楽曲情報記憶機器を介して送信された場合に、その受信楽曲情報が記憶手段に予め若しくは追加記憶した楽曲情報に含まれていれば、その記憶楽曲情報に含まれる音源情報が優先して再生・出力される。これにより、音声回線等を通じて受信することで音質劣化した受動的メロディを出力する必要がなくなる。また、記憶手段に記憶した楽曲情報を利用している間は受動的メロディを出力する回線として音声回線を使用していないので音声回線の負荷増大を解消することができる。
【００４６】
請求項６に記載の電話システムによれば、楽曲情報記憶機器から提供された音声形式の楽曲情報を第１の電話端末装置で取得・追加記憶し、第２の電話端末装置からの発信時若しくは第２の電話端末装置との通話時にその第２の電話端末装置から楽曲情報に関する実データが直接若しくは楽曲情報記憶機器を介して送信された場合には、その実データに基づいて音源情報を採譜処理手段で生成した後に、再生・出力される。これにより、音声回線等を通じて受信することで音質劣化した受動的メロディを出力する必要がなくなる。また、採譜処理手段で採譜処理した受動的メロディを再生・出力している間は受動的メロディを出力するための回線として音声回線を使用していないので音声回線の負荷増大を解消することができる。
【００４７】
請求項７に記載の電話システムによれば、楽曲情報記憶機器から提供された音声形式の楽曲情報を第１の電話端末装置で取得・追加記憶し、第２の電話端末装置からの発信時若しくは第２の電話端末装置との通話時にその第２の電話端末装置から楽曲情報を直接若しくは楽曲情報記憶機器を介して送信された場合に、その受信楽曲情報が記憶手段に予め若しくは追加記憶した楽曲情報に含まれていれば、その記憶楽曲情報に含まれる音源情報が優先して再生・出力される。また、第２の電話端末装置からの発信時若しくは第２の電話端末装置との通話時にその第２の電話端末装置から楽曲情報に関する実データが直接若しくは楽曲情報記憶機器を介して送信された場合には、その実データに基づいて音源情報を採譜処理手段で生成した後に、再生・出力される。これにより、音声回線等を通じて受信することで音質劣化した受動的メロディを出力する必要がなくなる。また、記憶手段に記憶した楽曲情報を利用している間は受動的メロディを出力する回線として音声回線を使用していないので音声回線の負荷増大を解消することができる。また、採譜処理手段で採譜処理した受動的メロディを再生・出力している間は受動的メロディを出力するための回線として音声回線を使用していないので音声回線の負荷増大を解消することができる。
【００４８】
請求項８に記載の電話端末制御用プログラムによれば、取得ステップ、記憶ステップ、検索ステップ、再生ステップを経て出力ステップで記憶手段に記憶した楽曲情報に含まれた音源情報を優先して出力することができる。
【００４９】
請求項９に記載の電話端末装置制御用プログラムによれば、採譜処理ステップ及び再生ステップを経て出力ステップで採譜処理後の音源情報を出力することができる。
【００５０】
請求項１０に記載の電話端末装置制御用プログラムによれば、取得ステップ、記憶ステップ、検索ステップ若しくは採譜処理ステップ、何れかの再生ステップを経て出力ステップで記憶手段に記憶した楽曲情報に含まれた音源情報若しくは、採譜処理後の音源情報を出力することができる。
【００５１】
尚、上述した楽曲情報記憶機器としては、インターネットサーバやＩＰ電話ネットワークサーバ等のネットワークサーバ、第２の電話端末装置を含めた他の携帯電話装置、コンビニエンスストアや携帯電話販売店等に設置可能な料金徴収式専用販売機といったものを想定することができる。この際、第２の電話端末装置からの発信時若しくは第２の電話端末装置との通話時に楽曲情報を送信してきた楽曲情報記憶機器に関しては、インターネットサーバやＩＰ電話ネットワークサーバ等のネットワークサーバがこれに対応する。また、他の外部機器も上記楽曲情報記憶機器と同様である。
【発明を実施するための最良の形態】
【００５２】
次に、本発明の一実施形態に係る電話端末装置及びその電話端末装置を備えた電話システム並びに電話端末制御用プログラムについて、携帯電話装置の場合について適用し、図面を参照して説明する。
【００５３】
本発明の実施形態に係る電話端末装置としての携帯電話装置は、図１に示すように、アンテナ１と、通信部（取得手段）２と、ＣＤＭＡ処理回路１５および音声コーデック１６とからなるベースバンド部３と、切替回路４と、制御回路（検索手段）５と、テンキー１９と、通話キー２０と、切キー２１と、機能キー２２とからなる入力部６と、増幅回路７、８、９と、第１スピーカ（出力手段）１０と、マイクロホン１１と、第２スピーカ（出力手段）１２と、ディスプレイ１３と、照明部１４と、ＲＯＭ１７と、ＲＡＭ（記憶手段）１８、音源ＩＣ（再生手段）２３と、採譜処理部（採譜処理手段）２４とから構成されている。
【００５４】
通信部２は、後述のベースバンド部３から出力される中間周波数帯の送信信号を無線周波数帯に変換し、この信号をアンテナ１を介して基地局へ発信し、あるいはアンテナ１を介して受信した基地局からの電波信号を中間周波数帯に変換してベースバンド部３に出力する。本実施形態においては、図示しないネットワークを介して楽曲情報を含む電波信号を受信し、これをベースバンド部３に出力する。
【００５５】
ベースバンド部３を構成するＣＤＭＡ処理回路１５は、符号分割多元接続やスクランブル処理、誤り制御およびタイミング検出等の処理を行う。ベースバンド部３を構成する音声コーデック１６は、音声データの圧縮処理（符号化）および伸長処理を行い、あるいは、アナログ信号をディジタル信号に、ディジタル信号をアナログ信号に変換処理する。また、図示しない内部の増幅回路の増幅度を可変して、受話音量を増幅あるいは減衰させ、マイクロホンの感度を変更する。
【００５６】
切替回路４は、増幅回路７を介して第１スピーカ１０に接続されている。第１スピーカ１０は、増幅回路７で増幅されたベースバンド部３からの電気信号を音声信号として外部に出力する。この第１スピーカ１０は、ユーザの耳にあてることにより、通話に使用される。また、この通話中における音声ガイドメッセージや保留音等が流れる。
【００５７】
切替回路４は、また、増幅回路８を介してマイクロホン１１に接続されている。このマイクロホン１１は、通話に使用され、収音した音声信号を電気信号に変換する。マイクロホン１１から出力された電気信号は、増幅回路８において増幅されてベースバンド部３に出力される。
【００５８】
切替回路４は、また、増幅回路９を介して第２スピーカ１２に接続されている。この第２スピーカ１２には、増幅回路９において増幅されたベースバンド部３から入力された電気信号を音声信号として外部に出力する。この第２スピーカ１２は、受話音を周囲の人々に聞かせるための拡声用のスピーカである。また、第２スピーカ１２は、着信報知の鳴動も行う。なお、これらの３つの増幅回路７、８、９は、ゲインが固定されており、第１スピーカ１０及び第２スピーカ１２の音量やマイクロホン１１の感度を変更することはできないようになっている。
【００５９】
切替回路４は、また、ベースバンド部３との接続を、第１スピーカ１０用の増幅回路７とマイクロホン１１用の増幅回路８側にするか、あるいは拡声用の第２スピーカ１２用の増幅回路９とマイクロホン１１用の増幅回路８側にするかを切り替える。
【００６０】
制御回路５は、通話に必要な制御（例えば、位置登録、待受け、リンク確立、ハンドオーバなどの制御）や表示制御など携帯電話装置の全ての制御を行う。本実施形態においては、制御回路５は、受信した楽曲情報に基づいて、ＲＯＭ１７やＲＡＭ１８から対応する音源情報を検索し、この音源情報を音源ＩＣ２３に出力する処理も実行する。また、制御回路５は、送受信制御、電話番号通知制御および電話番号記憶制御などを行う。さらに、制御回路５は、上述した切替回路４の切替制御やベースバンド部３における音声コーディング１６を制御し、第１スピーカ１０及び第２スピーカ１２の音量やマイクロホン１１の感度を制御する。
【００６１】
ＲＯＭ１７には、携帯電話装置全体を制御するためのシステムプログラムが格納されている。また、ＲＡＭ１８は、不揮発性メモリ等で構成され、制御回路５の制御に必要な所定の情報や発呼あるいは電子メールの送信に使用する電話帳データ、写真などの画像データが記憶されている。また、本実施形態においては、楽曲情報と音源情報とを関連付けて記憶するデータテーブルを格納している。なお、データテーブルの内容は、後述する入力部６や図示しない外部機器用接続端子等を用いて新たな楽曲情報を追加することができる。
【００６２】
図２は、このような楽曲情報の追加例を示す。尚、図２（Ａ）に示すように、ここで追加される楽曲情報は、通信データフォーマットのヘッダ情報（例えば、送信元及び送信先のＩＰ等）に続くデータとして、少なくとも曲名情報（曲名或いは識別コード）、インデックス情報、音源情報を備えている。また、曲名情報とインデックス情報とは楽曲情報の識別情報として用いられる。また、音源情報には、音声形式の着信メロディや受動的メロディ、或いは、実データが格納されている。
【００６３】
さらに、実データとしては、
（１）ＭＩＤＩ形式のサウンドデータ
ＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）は、電子楽器の演奏データの規格であり、データに音そのものは含まれず、音階や音の長さ、音色などが記録されている。従って、音そのものが含まれないので、データ量は比較的小さいうえ、音質劣化も無いといった利点を有する。但し、受信側電話機にＭＩＤＩデータ再生のためのＭＩＤＩ音源が必要となる。
（２）画像形式の楽譜データ（楽譜そのもの）
（３）テキストデータ
音声ガイダンスなどに応用することができる。例えば、「録音されたメッセージを聞くには数字の１を押して下さい。」という音声形式のデータを送信するよりも、テキストデータを送信し、受信側の音声合成装置で音声変換処理を行った方が音質面並びに送信データ量の双方に有利となる。
（４）圧縮されたサウンドデータ
例えば、ＭＰ３に代表される圧縮されたサウンドデータである。回線の伝送速度がデータ量と比較して非常に高速な場合に有効である。
（５）ストリーミング形式のサウンドデータ
伝送中のデータを逐次再生することが可能である。
といったものを想定することができる。
【００６４】
このような楽曲情報は、図２（Ｂ）に示すように、第１，第２の電話端末装置としての携帯電話装置同士による電気通信回線（例えば、赤外通信）を通じて一方の電話端末装置の内部メモリ（ＲＡＭ１８）に記憶された楽曲情報を他方の電話端末装置（ＲＡＭ１８）で受信することができる。
【００６５】
また、図２（Ｃ）に示すように、電気通信回線（例えば、インターネット回線やネットワーク回線）を通じてサーバに記憶された楽曲情報をダウンロードすることができる。
【００６６】
さらに、図２（Ｄ）に示すように、電気通信回線（例えば、ケーブル接続）を通じてコンビニエンスストアや携帯電話販売店等に設置された料金徴収式専用販売機に記憶された楽曲情報をダウンロードすることができる。
【００６７】
ディスプレイ１３は、現在の時刻や、電話番号、電子メールの内容等の所定の情報を表示する表示器であり、例えば、カラーＬＣＤやＥＬ（エレクトロ・ルミネッセンス）、ＰＤＰ（プラズマ・ディスプレイ・パネル）などで構成されている。
【００６８】
照明部１４は、ディスプレイ１３やキー等の照明を行う。入力部６は、電話番号等の入力を行うテンキー１９と、通話の開始を操作する通話キー２０と、通話の終了を操作する切キー２１と、各種機能の設定を行う機能キー２２と、を有している。
【００６９】
音源ＩＣ２３は、制御回路５から入力される音源情報や採譜処理部２４から入力される音源情報をオーディオ信号に変換（再生）して制御回路５に出力する。採譜処理部２４は、通信部２において受信した音声パケットデータに採譜処理を施して、楽曲情報を生成する。
【００７０】
次に、本実施形態に係る電話端末装置の処理動作について、図３に示すフローチャートに基づいて説明する。
【００７１】
本実施形態に係る電話端末装置は基地局を介してネットワークに接続されている。なお、以下の説明では、電気通信回線としては公衆電話回線網であってもよいし、ＩＰ電話のようにインターネット網を利用したものであってもよい。また、楽曲情報の送信側の装置（楽曲情報記憶機器）は、電話端末装置であってもサーバであってもよいが、以下の説明では、発呼者側の電話端末装置がその発呼時に着呼側の電話端末装置に楽曲情報を送信した場合を例にとって説明する。
【００７２】
まず、本実施形態に係る着呼側の電話端末装置が発呼側の電話端末装置から電波信号を受信すると、受信された電波信号が通信部２において、中間周波数帯の電気信号に変換された後、ベースバンド部３に出力される。ベースバンド部３に入力された電気信号は、ＣＤＭＡ処理回路１５において、誤り制御やタイミング検出等の処理を施された後、制御回路５に出力される（ステップ１）。なお、受信信号に楽曲情報が含まれている場合には、音声コーデック１６に入力され、信号の伸長処理、あるいは、ディジタル信号からアナログ信号への変換処理が行われる。
【００７３】
制御回路５は、ＣＤＭＡ処理回路１５から出力された信号から楽曲情報に含まれる曲名情報やインデックス情報を抽出し、これと一致する曲名情報やインデックス情報がＲＡＭ１８内に格納されているかをデータテーブルから検索する（ステップ２）。
【００７４】
この検索の結果、制御回路５は、入力された楽曲情報に対応した楽曲情報をＲＡＭ１８内に格納されたデータテーブルから検索したときは、ＲＡＭ１８に格納された楽曲情報に含まれる音源情報を音源ＩＣ２３に出力する（ステップ３）。
【００７５】
一方、検索の結果、制御回路５は、入力された楽曲情報に対応した楽曲情報をＲＡＭ１８内に格納されたデータテーブルから検索できなかったときは、制御回路５が、音声コーデック１６から入力された送信元からの楽曲情報に含まれる音源情報を音源ＩＣ２３に出力する（ステップ４）。
【００７６】
音源ＩＣ２３は入力された音源情報から再生信号を生成するとともに、その再生信号を切替回路４に出力する（ステップ５）。
【００７７】
切替回路４は、入力した再生信号を増幅回路９に出力し、この増幅回路９で増幅された再生信号が第２スピーカ１２に出力され、着信メロディ（ステップ３を経由した場合）又は受動的メロディ（ステップ４を経由した場合）として外部に発音される（ステップ６）。
【００７８】
したがって、本実施形態によれば、予めＲＡＭ１８に記憶された楽曲情報を受信した楽曲情報に基づいて検索し、検索した楽曲情報に基づいてＲＡＭ１８に記憶された音源情報に基づいて着信メロディを再生した場合には、音声圧縮処理に伴う音質の低下やネットワーク環境による楽曲情報の劣化を伴わないメロディ再生が可能となる。
【００７９】
このように、楽曲情報に含まれる識別情報としての曲名情報やインデックス情報等を利用して検索を行うことにより、比較的軽いデータに基づいて短い時間で検索を行うことができる。そして、検索を行った結果、自身の携帯電話装置のＲＡＭ１８に送信されてきた楽曲情報と同一の楽曲情報が記憶されていた場合には、その記憶されていた楽曲情報を優先して音声出力（発音）することにより、容易に音質を向上させることができるうえ、データ量の低減に伴う回線負荷を軽減することが可能となる。
【００８０】
また、楽曲情報に実データが含まれていた場合には、その実データを採譜処理したうえで音源情報を生成することにより、容易に音質を向上させることができるうえ、データ量の低減に伴う回線負荷を軽減することが可能となる。
【００８１】
以上、図面を参照して本発明の実施の形態について詳述してきたが、具体的な構成はこれらの実施形態に限られるものではなく、この発明の要旨を逸脱しない範囲の設計変更等も含まれる。
【図面の簡単な説明】
【００８２】
【図１】本発明の電話端末装置を示し、要部のブロック図である。
【図２】本発明の電話端末装置を示し、（Ａ）はデータフォーマットの説明図、（Ｂ）は楽曲情報を携帯電話装置同士で追加する場合の説明図、（Ｃ）は楽曲情報をサーバからダウンロードする場合の説明図、（Ｄ）は楽曲情報を料金徴収式専用販売機からダウンロードする場合の説明図である。
【図３】本発明の電話端末装置を示し、処理ルーチンのフロー図である。
【符号の説明】
【００８３】
２      通信部（取得手段）
５      制御回路（検索手段）
６      入力部（入力手段）
１０    第１スピーカ（出力手段）
１２    第２スピーカ（出力手段）
１８    ＲＡＭ（記憶手段）
２３    音源ＩＣ（再生手段）
２４    採譜処理部（採譜処理手段）
【図１】
2005303529.tif 000003
【図２】
2005303529.tif 000004
【図３】
2005303529.tif 000005